(57)【特許請求の範囲】
【請求項１】
移動路の延在方向に電子部品を取り出すための取出エリアと電子部品を補給するための補給エリアを設け、
前記補給エリアに臨ませて電子部品を補給し、前記取出エリアに臨ませて電子部品を取り出すために、前記移動路上に正逆双方向移動自在に配設された供給ユニットを移動させる移動手段を備えた電子部品供給装置であって、
それぞれに電子部品を搭載可能なＮ個（Ｎは２以上の整数）の供給ユニットと、
前記Ｎ個の供給ユニットのうちの連続して並べられたＭ個（Ｍは２≦Ｍ≦Ｎとなる整数）の供給ユニットを電子部品の取出対象として臨ませることが可能な前記取出エリアに設けられ、前記Ｎ個のうちの連続して並べられたＫ個（Ｋは１≦Ｋ＜Ｍとなる整数）の供給ユニットを前記取出対象としているときに、他のＭ−Ｋ個の供給ユニットの補給エリアとして一部を割当可能な可変補給エリアと、
前記補給エリア及び前記可変補給エリアのそれぞれに対応して設けられ、電子部品の補給のときに開くための安全カバーと、
前記安全カバーのそれぞれに対応して設けられ、それを開く前に電子部品の補給対象となる供給ユニットを移動させる動力を切り、その後に開くことを可能とするためのレディスイッチと、
を備えたことを特徴とする電子部品供給装置。
【請求項２】
前記取出エリアは、任意の１個の供給ユニットから電子部品を取り出すための取出位置が中央に定められ、２×Ｍ個の供給ユニットを配置可能で、かつ、両端のそれぞれに前記可変補給エリアが設けられたエリアであり、
各可変補給エリアは、それぞれ最大でＭ−１個の供給ユニットの補給エリアとして割当可能なエリアであり、
前記移動手段は、前記Ｋ個の供給ユニットを前記取出対象としているときに、そのうちの任意の１個の供給ユニットを前記取出位置に臨ませるために、前記Ｋ個の供給ユニットを前記取出エリア内で移動させるとともに、Ｍ−Ｋ個の供給ユニットの補給エリアとして、前記可変補給エリアの一部を割り当てることを特徴とする、請求項１に記載の電子部品供給装置。
【請求項３】
前記Ｋ個の供給ユニットが前記補給エリアへ進入するのを防止するためのストッパをさらに備えたことを特徴とする、請求項１または２に記載の電子部品供給装置。
【発明の詳細な説明】
【０００１】
【発明の属する技術分野】
本発明は、電子部品を供給するための電子部品供給装置に関する。
【０００２】
【従来の技術】
電子部品装着装置等に備えられる電子部品供給装置として、例えば図１５（ａ）に示すように、移動路上の正逆双方向（図示の横方向）に移動自在に配設され、それぞれに複数の電子部品を搭載可能なＮ個（ここでは４個）の供給ユニットＵ１〜Ｕ４を備え、これらの供給ユニットのうちのいずれかを、中央の所定の取出位置ＤＰに適宜臨ませて、それらから電子部品を取り出す電子部品供給装置が知られている。
【０００３】
【発明が解決しようとする課題】
この種の電子部品供給装置では、電子部品が装着等のために取り出された後に、新たに供給すべき電子部品を補給する必要があり、その補給を迅速に行えるか否かが、電子部品供給装置としての、さらにはそれを備えた電子部品装着装置等としての、稼働率に影響する。例えば第１の部品供給方法として、まず、Ｎ個（ここでは４個）の供給ユニットＵ１〜Ｕ４を適宜移動させて取出位置ＤＰに臨ませ、それらから装着等のために取り出すべき電子部品が無くなった時点で、４個の供給ユニットＵ１〜Ｕ４の移動を全て止めて、電子部品を補給する方法がある。しかし、この方法では、電子部品の取出作業とその補給作業とが逐次（シリアル）処理となってしまい、電子部品を補給中には電子部品の取り出しができないので、電子部品取出のための、すなわち電子部品供給装置としての稼働率が低くなってしまう。
【０００４】
このため、第２の部品供給方法として、例えば同図（ｂ）（または同図（ｄ））に示すように、Ｎ個（４個）のうちの半分の２個の供給ユニットＵ１およびＵ２（Ｕ３およびＵ４）を次回の電子部品の補給のために待機させ、中央に所定の取出位置ＤＰが定められた取出エリア（取出移動エリア）ＭＡ２（取出移動ポジションＰ１〜Ｐ４の範囲のエリア）内に、残りの２個の供給ユニットＵ３およびＵ４（Ｕ１およびＵ２）を臨ませて取出移動エリアＭＡ２内で適宜移動させ、２個のうちの任意の１個の供給ユニットＵ３またはＵ４（Ｕ１またはＵ２）を電子部品が取り出される供給ユニットとして取出位置ＤＰに臨ませ、それらの２個の供給ユニットＵ３およびＵ４（Ｕ１およびＵ２）から電子部品が取り出されている間に、待機している残りの２個の供給ユニットＵ１およびＵ２（Ｕ３およびＵ４）に電子部品を補給する。この第２の部品供給方法の場合、いわゆる交互運転により、電子部品の取出作業とその補給作業とを並列（パラレル）処理することができるので、稼働率をある程度まで向上できる。
【０００５】
ところで、上記の状態（同図（ｂ）の状態）で、２個の供給ユニットＵ３およびＵ４から電子部品が取り出されている間に、例えば供給ユニットＵ４に新たに供給すべき電子部品を補給する必要がでた場合、あるいは、残る取出作業では供給ユニットＵ３のみが必要で供給ユニットＵ４が不要となった場合、同図（ｃ）に示すように、供給ユニットＵ３のみを取出移動エリアＭＡ２内に残し、供給ユニットＵ４のみを次回の電子部品の補給のために待機エリアＷＲ２内の所定位置（待機ポジションまたはホームポジションＨ４）に戻すことにより、供給ユニットＵ３から電子部品が取り出されている間に、供給ユニットＵ４に電子部品の補給ができるので、さらに稼働率を向上できる。しかし、逆に、供給ユニットＵ４のみを取出移動エリアＭＡ２に残し、供給ユニットＵ３のみを戻すことはできない。すなわち、供給ユニットＵ３を戻したくても、その配設位置の関係上、供給ユニットＵ４とともに戻す必要があるので、供給ユニットＵ３のみを戻すことはできない。
【０００６】
同図（ｄ）の状態からも同様であり、同図（ｅ）に示すように、供給ユニットＵ２のみを取出移動エリアＭＡ２に残し、供給ユニットＵ１のみを待機エリアＷＬ２内（のホームポジションＨ１）に戻すことはできるが、逆に、供給ユニットＵ１のみを取出移動エリアＭＡ２に残し、供給ユニットＵ２のみを戻したくても、その配設位置の関係上、供給ユニットＵ１とともに戻す必要があるので、供給ユニットＵ２のみを戻すことはできない。かといって、これらに対応して、新たに電子部品の補給のためのスペースを待機エリア（この場合の補給エリア）として付加したのでは、電子部品供給装置としての設置スペースが増大し、スペース効率が悪化するばかりか、通常、設置スペースには限りがあるため、設置できなくなってしまう場合も多い。そして、これらの理由により、電子部品供給装置としての稼働率の向上は頭打ちの状態となっている。
【０００７】
そこで、本発明は、設置スペースを増大させることなく、稼働率を向上できる電子部品供給装置を提供することを目的とする。
【００１０】
【課題を解決するための手段】
本発明の請求項１の電子部品供給装置は、移動路の延在方向に電子部品を取り出すための取出エリアと電子部品を補給するための補給エリアを設け、前記補給エリアに臨ませて電子部品を補給し、前記取出エリアに臨ませて電子部品を取り出すために、前記移動路上に正逆双方向移動自在に配設された供給ユニットを移動させる移動手段を備えた電子部品供給装置であって、それぞれに電子部品を搭載可能なＮ個（Ｎは２以上の整数）の供給ユニットと、前記Ｎ個の供給ユニットのうちの連続して並べられた最大でＭ個（Ｍは２≦Ｍ≦Ｎとなる整数）の供給ユニットを電子部品の取出対象として臨ませることが可能な前記取出エリアに設けられ、前記Ｎ個のうちの連続して並べられたＫ個（Ｋは１≦Ｋ＜Ｍとなる整数）の供給ユニットを前記取出対象としているときに、他のＭ−Ｋ個の供給ユニットの補給エリアとして一部を割当可能な可変補給エリアと、前記補給エリア及び前記可変補給エリアのそれぞれに対応して設けられ、電子部品の補給のときに開くための安全カバーと、前記安全カバーのそれぞれに対応して設けられ、それを開く前に電子部品の補給対象となる供給ユニットを移動させる動力を切り、その後に開くことを可能とするためのレディスイッチと、備えたことを特徴とする。
【００１１】
この電子部品供給装置では、取出エリアおよび補給エリアを有し、Ｎ個（Ｎは２以上の整数）のうちの最大でＭ個（Ｍは２≦Ｍ≦Ｎとなる整数）の供給ユニットを電子部品の取出対象として取出エリアに臨ませ、取出エリアには、Ｎ個のうちのＫ個（Ｋは１≦Ｋ＜Ｍとなる整数）を取出対象としているときに、他のＭ−Ｋ個の補給エリアとして一部を割当可能な可変補給エリアが設けられている。このため、必要に応じて、可変補給エリアの一部を補給エリアとして割り当てることにより、Ｋ（最小で１）個を取出対象としている間にも、Ｍ−Ｋ（最大でＭ−１）個の供給ユニットに電子部品の補給が可能になる。また、取出エリアの一部（可変補給エリアの一部）を補給エリアとして割り当てるので、設置スペースを増大させる必要もない。したがって、この電子部品供給装置では、設置スペースを増大させることなく、全体として電子部品の補給を迅速に行うことが可能になるので、稼働率を向上できる。なお、取出エリア内の任意の位置から（請求項３で後述のように供給ユニットを移動させることなく）部品取出が可能なタイプの場合、取出エリアとしては最小でＭ個の供給ユニットを配置可能なエリアがあれば良いが、この場合、取出エリアの全てを可変補給エリアとしておくことにより、取出対象のＫ（最小で１）個を除くＭ−Ｋ（最大でＭ−１）個分を補給エリアとして割り当てて使用できる。
また、電子部品の補給のときに開くための安全カバーを補給エリア及び可変補給エリアのそれぞれに対応して備えているので、その安全カバーを閉じている間の安全性を向上できる。また、補給エリア及び前記可変補給エリアのそれぞれに対応して安全カバーが設けられ、安全カバーのそれぞれに対応して、それを開く前に電子部品の補給対象となる供給ユニットを移動させる動力を切り、その後に開くことを可能とするためのレディスイッチが設けられているため、補給エリア又は前記可変補給エリアの安全カバーを開いて電子部品の補給をするためにはレディススイッチにより動力が切られるので、部品補給作業の安全性を向上できる。
【００１２】
また、請求項１の電子部品供給装置において、前記取出エリアは、任意の１個の供給ユニットから電子部品を取り出すための取出位置が中央に定められ、２×Ｍ個の供給ユニットを配置可能で、かつ、両端のそれぞれに前記可変補給エリアが設けられたエリアであり、各可変補給エリアは、それぞれ最大でＭ−１個の供給ユニットの補給エリアとして割当可能なエリアであり、前記移動手段は、前記Ｋ個の供給ユニットを前記取出対象としているときに、そのうちの任意の１個の供給ユニットを前記取出位置に臨ませるために、前記Ｋ個の供給ユニットを前記取出エリア内で移動させるとともに、Ｍ−Ｋ個の供給ユニットの補給エリアとして、前記可変補給エリアの一部を割り当てることが好ましい。
【００１３】
この電子部品供給装置では、取出エリアは、取出位置が中央に定められ、２×Ｍ個の供給ユニットを配置可能なエリアである。この場合、原理的に、２×Ｍ個の供給ユニットを配置可能なエリア（２×Ｍ個分のエリア）があれば、最大でＭ個の供給ユニットを並べてその一方の端から他方の端までを、中央の取出位置に臨ませることができるので、この取出エリア内で、Ｍ個以下のＫ個のうちの任意の１個の供給ユニットを、中央の取出位置に臨ませることができる。また、２×Ｋ個分のエリアがあれば、Ｋ個のうちの任意の１個を中央の取出位置に臨ませることができるので、Ｋ個を取出対象としているときには、取出エリア内の両端のそれぞれＭ−Ｋ個分のエリアを部品取出のために使用する必要が無くなる。このため、取出エリアの両端にそれぞれ最大でＭ−１個分の補給エリアとして割当可能な可変補給エリアを設け、Ｋ個を取出対象として取出エリア内で移動させるとともに、Ｍ−Ｋ個分の補給エリアとして、可変補給エリアの一部を割り当てる。これにより、必要に応じて、可変補給エリアの片側で最大Ｍ−１個の供給ユニットに電子部品の補給ができる。また、この場合、取出エリアの一部（可変補給エリアの一部）を補給エリアとして割り当てるので、設置スペースを増大させる必要もない。したがって、Ｋ（最小で１）個の供給ユニットを移動させながら電子部品を取り出している間にも、Ｍ−Ｋ（最大でＭ−１）個の供給ユニットに電子部品の補給が可能であり、設置スペースを増大させることなく、全体として電子部品の補給を迅速に行うことが可能になるので、稼働率を向上できる。
【００１７】
また、請求項１または２の電子部品供給装置において、電子部品の取出対象としている前記Ｋ個の供給ユニットが前記補給エリアへ進入するのを防止するためのストッパをさらに備えたことを特徴とする、請求項１または２に記載の電子部品供給装置。
【００１８】
この電子部品供給装置では、取出対象としているＫ個の供給ユニットが補給エリアへ進入するのを防止するためのストッパを備えているので、補給エリア内での電子部品の補給をさらに安全に行うことができる。
【００１９】
【発明の実施の形態】
以下、本発明の一実施形態に係る電子部品供給装置を搭載した高速マウンタ（電子部品装着装置）について、添付図面を参照しながら詳細に説明する。
【００２０】
図１は高速マウンタの側面図であり、図２はその供給系廻りの外観斜視図である。図１に示すように、この高速マウンタ１は、装置本体２を挟んで相互に平行に、電子部品Ａを供給する供給系３と、電子部品Ａを基板Ｂに装着する装着系４とを配して構成されており、供給系３は電子部品供給装置（３）で構成されている。装置本体２には、駆動系の主体を為すインデックスユニット６と、これに連結された回転テーブル７と、回転テーブル７の外周部に搭載した複数個（１２個）の装着ヘッド８とが設けられており、回転テーブル７は、インデックスユニット６により、装着ヘッド８の個数に対応する間欠ピッチで間欠回転される。回転テーブル７が間欠回転すると、各装着ヘッド８に搭載した吸着ノズル９が供給系３および装着系４に適宜臨み、供給系３から供給された電子部品Ａを吸着した後、装着系４に回転搬送し、装着系４に導入した基板Ｂにこれを装着する。
【００２１】
図２に示すように、供給系を構成する電子部品供給装置３は、図示の前後方向（図３等では左右（横）方向：延在方向）に長い機台１１（移動路）と、機台１１上にスライド自在に搭載した４つのスライドベース（供給ユニット）１２と、各スライドベース１２に着脱自在に装着した多数のテープカセット１３と、機台１１と各スライドベース１２との間に組み込んだリニアモータ１４とを備えている。４つのスライドベース１２は、その２つを一組として機台１１の前後に配置され、各組のスライドベース１２、１２を介して２組のテープカセット１３群を交互に装置本体２に臨ませるようにしている。また、各テープカセット１３にはそれぞれ多数の電子部品が取出可能に搭載されている。すなわち、各スライドベース（供給ユニット）１２には、それぞれに多数の電子部品を搭載したテープカセット１３が多数搭載され、片側２つのスライドベース１２、１２が、装置本体２の位置に移動（スライド）して部品取出動作している間に、ホーム位置（ホームポジション）にある他方の２つのスライドベース１２、１２上では、次の作業に向けてテープカセット１３の交換作業（電子部品の補給作業）が行われる。
【００２２】
ここで、本発明の電子部品供給装置の原理を説明しておく。まず、本実施形態におけるスライドベース１２のようにテープカセット１３等を介して複数の電子部品を搭載可能な、あるいは直接電子部品を搭載可能な供給ユニットを考え、部品取出のために必要とする取出エリア（取出配置エリアまたは取出移動エリア）について考察する。
【００２３】
図３（ａ）に示すように、供給ユニットＵ１から電子部品を取り出す場合、供給ユニットＵ１の任意の位置から電子部品を取出可能であれば、電子部品の取り出しのためには１個の供給ユニットを配置可能なエリア（取出配置エリア）ＤＡ１分だけあれば良いが、１個の供給ユニットＵ１を左右方向に移動させながら、中央の取出位置ＤＰにおいて、供給ユニットＵ１から電子部品を取り出す場合、供給ユニットＵ１の右端から電子部品を取り出すには、その右端が取出位置ＤＰに臨むように左側に（取出移動ポジションＰ１まで）移動させ、左端から取り出すには、その左端が取出位置ＤＰに臨むように右側に（取出移動ポジションＰ２まで）移動させる必要がある。このため、１個の供給ユニットＵ１を移動させて取出位置ＤＰで電子部品を取り出すために必要なエリア（取出移動エリア）ＭＡ１は、供給ユニット１個分の取出配置エリアＤＡ１の左右にエリアＤＬ１およびエリアＤＲ１を加えたエリア（取出移動ポジションＰ１〜Ｐ２の範囲のエリア）となり、その関係はＭＡ１＝ＤＬ１＋ＤＡ１＋ＤＲ１＝２×ＤＡ１となる。
【００２４】
なお、上述した内容（原理）を、以下、適宜、略式化して（モデル化して）、同図（ｂ）（またはさらに略して同図（ｃ））のように示す。すなわち、これらの図に示すように、任意の１個の供給ユニット（図示の「●」）についての取出移動エリアＭＡ１は、中央に取出位置ＤＰがあるものとすると、１個分の取出配置エリアＤＡ１の２倍、すなわち２個の供給ユニットを配置可能なエリア（これを以下「□□」のように図示）となる。
【００２５】
同様に、図４（ａ）に示すように、（Ｍ＝）２個の供給ユニットＵ１、Ｕ２を左右方向（所定方向）に移動させながら、それらから電子部品を取り出す場合、供給ユニットＵ１、Ｕ２を、取出位置ＤＰにおいて供給ユニットＵ２の右端から電子部品を取り出せる（Ｕ１をＰ１、Ｕ２をＰ２）まで左側に移動させ、供給ユニットＵ１の左端から電子部品を取り出せる（Ｕ１をＰ３、Ｕ２をＰ４）まで右側に移動させる必要があるので、そのための取出移動エリアＭＡ２は、供給ユニット２個分の取出配置エリアＤＡ２の左右にエリアＤＬ２およびエリアＤＲ２を加えたエリア（取出移動ポジションＰ１〜Ｐ４の範囲のエリア）となり、その関係はＭＡ２＝ＤＬ２＋ＤＡ２＋ＤＲ２＝２×ＤＡ２となる。すなわち、同図（ｂ）または（ｃ）に示すように、任意の（Ｍ＝）２個の供給ユニット（図示の「●●」）についての取出移動エリアＭＡ２は、中央に取出位置ＤＰがあるものとすると、２個分の取出配置エリアＤＡ２の２倍、すなわち４個の供給ユニットを配置可能なエリア（図示の「□□□□」）となる。
【００２６】
図５に示すように、任意の（Ｍ＝）３個から電子部品を取り出す場合（同図（ａ）参照）、（Ｍ＝）４個から電子部品を取り出す場合（同図（ｂ）参照）、（Ｍ＝）５個から電子部品を取り出す場合（同図（ｃ）参照）も同様であり、それぞれ、任意の（Ｍ＝）３個、４個、５個の供給ユニット（●）についての取出移動エリアＭＡ３、ＭＡ４、ＭＡ５は、中央に取出位置ＤＰがあるものとすると、それぞれ３個、４個、５個分の取出配置エリアＤＡ３、ＤＡ４、ＤＡ５の２倍、すなわち、２×３＝６個、２×４＝８個、２×５＝１０個の供給ユニットを配置可能なエリア（□）となる。そして、これらを一般化すると、図６に示すように、任意のＭ個の供給ユニット（●）から電子部品を取り出すための取出移動エリアＭＡは、中央に取出位置ＤＰがあるものとすると、２×Ｍ個の供給ユニットを配置可能なエリア（□）となる。
【００２７】
ところで、所定の個数の供給ユニットから電子部品を取出可能な取出移動エリアを有している場合、それより少ない個数の供給ユニットから電子部品を取り出しているときには、部品取出に使用する必要のないエリアが生じる。例えば図７（ａ）に示すように、Ｍ＝５個の供給ユニットから電子部品を取出可能な取出移動エリアＭＡ５を有している場合、（Ｋ＝Ｍ＝）５個から電子部品を取り出すためにそれらを移動させるときには、取出移動エリアＭＡ５の全エリアを部品取出のために使用する。しかし、（Ｋ＝）４個から部品を取り出すときには、すなわち、４個の供給ユニットのみ移動させれば良いときには、同図（ｂ）に示すように、Ｍ＝４個の供給ユニット（●）から電子部品を取出可能な取出移動エリアＭＡ４の分しか使用しないので、取出移動エリアＭＡ５の左右両端の（Ｍ−Ｋ＝Ｍ−１＝）１個分（図示の「○」）のエリア（□）を使用する必要が無くなる。
【００２８】
同様に、（Ｋ＝）３個から部品を取り出す（３個を移動させる）ときには、同図（ｃ）に示すように、（Ｋ＝）２個から部品を取り出す（２個を移動させる）ときには、同図（ｄ）に示すように、（Ｋ＝）１個から部品を取り出す（１個を移動させる）ときには、同図（ｅ）に示すように、それぞれ、Ｍ＝３個、２個、１個の供給ユニット（●）から電子部品を取出可能な取出移動エリアＭＡ３、ＭＡ２、ＭＡ１の分しか使用しないので、それぞれ、取出移動エリアＭＡ５の左右両端の（Ｍ−Ｋ＝）２個分、３個分、４個分（○）のエリア（□）を使用する必要が無くなる。
【００２９】
そこで、次に、取出移動エリア内にあって、上述のように部品取出に使用する必要のないエリアを、電子部品の補給エリアとして使用する場合を考える。まず、図７で上述のように、Ｍ＝５個の供給ユニットから部品取出可能な取出移動エリアＭＡ５を有している場合、稼働率を向上させるためには、少なくとも１個の供給ユニットから電子部品を取り出しているときに、他の供給ユニットに部品の補給ができることが必要となる。
【００３０】
例えば図８（ａ）に示すように、供給ユニットＵ１、Ｕ２、Ｕ３、Ｕ４、Ｕ５（以下、適宜略して▲１▼、▲２▼、▲３▼、▲４▼、▲５▼のように図示し、また、説明にも用いる）のＭ＝５個の供給ユニットから部品取出可能な取出移動エリアＭＡ５を有している場合、供給ユニットＵ５（▲５▼）の（Ｋ＝）１個から部品取出をしているとき（▲５▼のみを部品取出のために移動させているとき）には、同図（ｂ）に示すように、最大４個の供給ユニットを配置可能なエリアＭＬ４に、供給ユニットＵ１〜Ｕ４（▲１▼〜▲４▼）を待機させることができるので、これらに対して部品補給が可能である。同様に、▲１▼の（Ｋ＝）１個から部品取出をしているとき（▲１▼のみを部品取出のために移動させているとき）には、同図（ｆ）に示すように、最大４個の供給ユニットを配置可能なエリアＭＲ４に、▲２▼〜▲５▼を待機させることができるので、これらに対して部品補給が可能である。
【００３１】
部品取出の対象となる（Ｋ＝）１個が（Ｍ＝）５個のうちの端の供給ユニットでない場合も同様であり、例えば、それぞれ、▲４▼のみを取出対象とする場合、▲３▼のみを取出対象とする場合、▲２▼のみを取出対象とする場合、それぞれ、同図（ｂ）、同図（ｃ）、同図（ｅ）に示すように、取出対象でない供給ユニットをエリアＭＬ４とエリアＭＲ４に分けて、待機させることができるので、これらに対して部品補給が可能である。なお、上記のエリアＭＬ４やエリアＭＲ４は、必要に応じて左側の部品補給エリアＳＬや右側の部品補給エリアＳＲとして割り当てられるので、以下「可変補給エリア」という。すなわち、可変供給エリアＭＬ４、ＭＲ４は、それぞれ最大で４個の供給ユニットに電子部品を補給可能な可変補給エリアである。
【００３２】
上述の説明では、（Ｋ＝）１個の例について説明したが、２個以上（Ｋ≧２）の場合も同様であり、また、最初に取出対象であった一部の供給ユニットを途中で取出対象からはずす（待避対象となる）場合も同様である。上述の図７および図８を参照して、例えば最初は▲１▼〜▲５▼の（Ｋ＝）５個の供給ユニットから部品取出を行っていて（図８（ａ）参照）、途中で、単純に▲１▼▲２▼▲３▼▲４▼の順で待避させる場合、▲１▼を待避させた時点でＫ＝４となって（図７（ｂ）参照）、▲１▼に対する部品補給が可能になり、▲２▼を待避させた時点でＫ＝３となって（図７（ｃ）参照）、▲２▼に対する部品補給が可能になり、▲３▼を待避させた時点でＫ＝２となって（図７（ｄ）参照）、▲３▼に対する部品補給が可能になり、▲４▼を待避させた時点でＫ＝１となって（図７（ｅ）参照）、▲４▼に対する部品補給が可能になる（図８（ｂ）参照）。
【００３３】
また、例えば最初は▲１▼〜▲５▼の（Ｋ＝）５個が取出対象で、途中で、▲５▼▲４▼▲３▼▲２▼の順で待避させる場合、同様に、Ｋ＝５→４→３→２→１と変化し（図７参照）、待避した供給ユニットに対する部品補給は、待避した直後から可能になり、Ｋ＝１となった時点で、取出対象を▲１▼のみとする状態（図８（ｆ）参照）となる。また、一方の端から順番通りでなくても、待避させたい時点で待避させたい供給ユニットが取出対象の端にあれば同様であり、例えば▲１▼▲５▼▲２▼▲４▼に順で待避対象となれば、Ｋ＝５→４→３→２→１と変化し（図７参照）、待避した供給ユニットに対する部品補給は、待避した直後から可能になり、Ｋ＝１となった時点で、取出対象を▲３▼のみとする状態（図８（ｄ）参照）となる。
【００３４】
また、例えば最初は▲１▼〜▲５▼の（Ｋ＝）５個が取出対象で、途中で、▲２▼▲１▼▲４▼▲５▼の順で取出対象からはずれる（待避対象となる）場合、▲２▼が待避対象となった時点では端の▲１▼が取出対象なので、すぐに▲２▼を待避させることはできないが、▲１▼が待避対象となった時点で、▲１▼および▲２▼を同時に待避でき、この時点から▲３▼〜▲５▼による部品取出（移動）を行いつつ、▲１▼および▲２▼に対する部品補給が可能になる。この場合、同様に、▲４▼が待避対象となった時点では端の▲５▼が取出対象なので、すぐに▲４▼を待避させることはできないが、▲５▼が待避対象となった時点で、▲４▼および▲５▼を同時に待避できる。この場合、Ｋ＝５→３→１と変化し、Ｋ＝１となった時点で、取出対象を▲３▼のみとする状態（図８（ｄ）参照）となり、▲１▼、▲２▼、▲４▼、▲５▼のいずれに対しても部品補給が可能な状態となる。
【００３５】
また、例えば▲１▼▲２▼▲４▼▲５▼の順で待避対象となる場合、Ｋ＝５→４→３→１と変化し、それぞれの状態で待避済みの供給ユニットについては部品補給が可能になり、Ｋ＝１となった時点では、取出対象を▲３▼のみとし（図８（ｄ）参照）、他の供給ユニットのいずれに対しても補給可能となっている。他の例も列記しておくと、▲３▼▲４▼▲５▼▲１▼の順ならＫ＝５→２→１（Ｋ＝１で図８（ｅ））、▲３▼▲２▼▲１▼▲５▼の順ならＫ＝５→２→１（図８（ｃ））となり、それぞれの状態で待避済みの供給ユニットについては部品補給が可能になる。最悪の順に相当する▲２▼▲３▼▲４▼▲５▼や▲３▼▲４▼▲２▼▲１▼の順でもＫ＝５→１（前者では図８（ｆ）、後者では図８（ｂ））となるので、少なくともＫ＝１となった時点で、取出対象の１個の供給ユニットを除く他の供給ユニットについては、いずれに対しても補給可能となっている。
【００３６】
すなわち、一般化すると、図９に示すように、任意のＭ個の供給ユニット（●）から電子部品を取り出すための取出移動エリアＭＡは、中央に取出位置ＤＰがあるものとすると、２×Ｍ個の供給ユニットを配置可能なエリア（□）となり（同図（ａ）参照）、Ｋ個を移動させているときには、取出移動エリアＭＡ内の両端のそれぞれＭ−Ｋ個分のエリアを部品取出のために使用する必要が無くなるので、本発明の電子部品供給装置では、それぞれ最大でＭ−１個の供給ユニットに電子部品を補給可能な可変補給エリアＭＬおよび可変補給エリアＭＲを、取出移動エリアＭＡ内の左端および右端に設け、Ｋ個の供給ユニットを移動させているときに、Ｍ個のうちの残りのＭ−Ｋ個の供給ユニットに電子部品を補給可能な部品補給エリア（最大でＳＬ＋ＳＲ）として、可変補給エリアの一部を割り当てる（同図（ｂ）参照）。
【００３７】
これにより、必要に応じて、可変補給エリアの片側（ＭＬまたはＭＲ）で最大Ｍ−１個の供給ユニットに電子部品の補給ができる。また、この場合、取出移動エリアＭＡの一部を部品補給エリアとして割り当てるので、電子部品供給装置としての設置スペースを増大させる必要もない。したがって、この電子部品供給装置では、Ｍ個のうちのＫ個の供給ユニットから電子部品を取り出している間にも、残りのＭ−Ｋ個の供給ユニットに電子部品の補給が可能であり、設置スペースを増大させることなく、全体として電子部品の補給を迅速に行うことが可能になるので、稼働率を向上できる。
【００３８】
次に、全体でＮ個の供給ユニットを備えながらも、そのうちの最大でＭ個のみを取出移動エリアに臨ませる場合、すなわち、Ｎ＞Ｍの関係を維持して、Ｎ個のうちの常時少なくともＮ−Ｍ個の供給ユニットを、取出移動エリアに臨ませずに待機させる場合を考える。
【００３９】
まず、図７や図８で前述の例と同じように、（Ｎ＝）５個の供給ユニットＵ１〜Ｕ５（▲１▼〜▲５▼）を備え、そのうちの最大で（Ｍ＝）３個のみを取出移動エリアに臨ませる場合、取出移動エリアとしては、図５（ａ）で前述のように、３個の供給ユニットから部品取出可能な取出移動エリアＭＡ３のみで良いので、図７や図８と同様に左右方向に（Ｎ＝）５個の供給ユニットを移動可能な移動エリア（供給エリア：以下「取出移動エリア」と区別して「供給移動エリア」という）があれば、その両端にそれぞれ最大（Ｎ−Ｍ＝）２個の供給ユニットを待機させておくことができる。このため、以下では、この両端の待機エリアをそれぞれ最大（Ｎ−Ｍ＝）２個の供給ユニットに電子部品を補給可能な固定補給エリアとして利用する。すなわち、必要に応じて、固定補給エリアの片側で最大（Ｎ−Ｍ＝）２個、すなわち両側で最大（２×（Ｎ−Ｍ）＝）４個の供給ユニットに電子部品の補給ができる。
【００４０】
例えば図１０（ａ）に示すように、左右方向に（Ｎ＝）５個の供給ユニットを移動可能な供給移動エリア、すなわち左右方向に（２×Ｎ＝）１０個の供給ユニットを配置可能でかつその中央に取出移動エリアＭＡ３を含む供給移動エリアがあれば、▲１▼〜▲５▼の（Ｎ＝）５個のうちの▲３▼〜▲５▼の（Ｍ＝）３個を取出移動エリアＭＡ３に臨ませ、▲３▼〜▲５▼のうちの任意の１個の供給ユニットを、中央の取出位置ＤＰに臨ませることができるとともに、▲１▼および▲２▼を左側の固定補給エリア（最大（Ｎ−Ｍ＝）２個の供給ユニット（同図（ｄ）に図示の「◎」）に部品補給可能なエリア）ＷＬ２に待機させ、部品補給エリアＳＬ（＋ＳＲの一部）として、▲１▼および▲２▼に対して電子部品の補給ができる。もちろん、前述と同様に、取出移動エリアＭＡ３内の両端にそれぞれ最大で（Ｍ−１＝）２個の供給ユニットに部品補給可能な可変補給エリアＭＬおよび可変補給エリアＭＲを設けられるので、取出移動エリアＭＡ３に臨ませている▲３▼〜▲５▼の（Ｍ＝）３個のうちの１個または２個の供給ユニットを必要に応じて退避させ、（Ｋ＝）２個または１個を取出対象として移動させているときに、可変補給エリアＭＬおよび可変補給エリアＭＲの一部を、部品補給エリア（ＳＬ＋ＳＲ）の一部として、電子部品の補給ができる（同図（ｄ）参照）。
【００４１】
同様に、例えば同図（ｂ）に示すように、左右方向に（２×Ｎ＝）１０個の供給ユニットを配置可能でかつその中央に取出移動エリアＭＡ３を含む供給移動エリアがあれば、▲１▼〜▲５▼の（Ｎ＝）５個のうちの▲２▼〜▲４▼の（Ｍ＝）３個を取出移動エリアＭＡ３に臨ませ、▲２▼〜▲４▼のうちの任意の１個の供給ユニットを、中央の取出位置ＤＰに臨ませ、▲１▼および▲５▼をそれぞれ左側および右側の固定補給エリア（図示の「◎」に部品補給可能なエリア）ＷＬ２およびＷＲ２に待機させ、部品補給エリア（ＳＬ＋ＳＲ）の一部として、▲１▼および▲５▼に対して電子部品の補給ができる。▲１▼〜▲５▼の（Ｎ＝）５個のうちの▲１▼〜▲３▼の（Ｍ＝）３個を取出移動エリアＭＡ３に臨ませる場合（同図（ｃ）参照）も同様となる。また、これらの場合も、取出移動エリアＭＡ３に臨ませている（Ｍ＝）３個のうちの１個または２個を必要に応じて退避させ、（Ｋ＝）２個または１個を移動させているときに、可変補給エリアＭＬおよび可変補給エリアＭＲの一部を、部品補給エリア（ＳＬ＋ＳＲ）の一部として、電子部品の補給ができる（同図（ｄ）参照）。
【００４２】
すなわち、一般化すると、図１１に示すように、本発明の電子部品供給装置では、移動路の延在方向（図示左右方向）に２×Ｎ個の供給ユニットを配置可能でかつその中央に取出移動エリアＭＡを含む供給移動エリアを有し、Ｎ個のうちのＮ−Ｍ個の供給ユニットを、取出移動エリアＭＡに臨ませずに待機させる場合、それぞれ最大でＮ−Ｍ個の供給ユニット（◎）に電子部品を補給可能な固定補給エリアＷＬおよび固定補給エリアＷＲを、供給移動エリア内の左端および右端に設ける。これにより、常時、必要に応じて、固定補給エリアの片側（ＷＬまたはＷＲ）で最大Ｎ−Ｍ個、すなわち両側で最大２×（Ｎ−Ｍ）個の供給ユニットに電子部品の補給が可能になる。また、この場合、供給移動エリアの一部を部品補給エリア（ＳＬ＋ＳＲ）の一部として割り当てるので、電子部品供給装置としての設置スペースを増大させる必要もない。
【００４３】
また、Ｍ個のうちのＫ個を移動させているときには、前述のように、取出移動エリアＭＡ内の可変補給エリアＭＬまたは可変補給エリアＭＲで部品補給が可能であり、このため、片側でＮ−Ｍ（固定補給エリア分）＋Ｍ−Ｋ（可変補給エリア分）＝Ｎ−Ｋ個分、すなわち両側で最大２×（Ｎ−Ｋ）個分の部品補給エリア（最大でＳＬ＋ＳＲ）として、固定補給エリア（ＷＬ＋ＷＲ）および可変補給エリア（ＭＬ＋ＭＲ）の一部を割り当てることができるので、さらに柔軟に対応（部品補給）が可能となる。したがって、この電子部品供給装置では、Ｎ個のうちのＮ−Ｍ個の供給ユニットは、取出移動エリアに臨ませずに待機させる場合に、Ｎ個のうちのＫ個の供給ユニットから電子部品を取り出している間にも、残りのＮ−Ｋ個の供給ユニットに電子部品の補給が可能であり、設置スペースを増大させることなく、全体として電子部品の補給を柔軟かつ迅速に行うことが可能になるので、稼働率を向上できる。
【００４４】
次に、全体でＮ個の供給ユニットを備え、そのうちの最大でＭ個のみを取出移動エリアに臨ませ、Ｎ個がＭ個の２倍の場合、すなわち、Ｎ＝２×Ｍの関係を維持して、Ｎ個のうちの常時少なくともＮ−Ｍ＝２Ｍ−Ｍ＝Ｍ個の供給ユニットを、取出移動エリアに臨ませずに待機させる場合を考える。例えば図１２（ａ）または同図（ｄ）に示すように、（Ｎ＝）４個の供給ユニットＵ１〜Ｕ４（▲１▼〜▲４▼）を備え、そのうちの最大で（Ｍ＝Ｎ／２＝）２個、すなわち（Ｎ＝）４個の半分の２個のみを取出移動エリアに臨ませる場合、取出移動エリアとしては、２個の供給ユニットから部品取出可能な取出移動エリアＭＡ２のみで良い（図４参照）ので、左右方向に（Ｎ＝）４個の供給ユニットを移動可能な供給移動エリアがあれば、その両端にそれぞれ最大（Ｎ−Ｍ＝Ｍ＝）２個の供給ユニットを待機させておくことができる。
【００４５】
例えば図１２（ａ）に示すように、▲１▼〜▲４▼の（Ｎ＝）４個のうちの▲３▼および▲４▼の（Ｍ＝）２個を取出移動エリアＭＡ２に臨ませ、▲３▼または▲４▼のいずれか任意の１個の供給ユニットを、中央の取出位置ＤＰに臨ませることができるとともに、▲１▼および▲２▼を左側の固定補給エリアＷＬ２に待機させ、▲１▼および▲２▼に対して電子部品の補給が常時可能になる。もちろん、取出移動エリアＭＡ２内の両端にそれぞれ最大で（Ｍ−１＝）１個の供給ユニットに部品補給可能な可変補給エリアＭＬおよび可変補給エリアＭＲを設けられるので、取出移動エリアＭＡ２に臨ませている▲３▼および▲４▼のうちの、右端側の▲４▼ばかりで無く（同図（ｂ）参照）、▲３▼も必要に応じて退避可能であり、▲４▼の１個を取出対象として移動させているときに、▲３▼に対して電子部品の補給ができる（同図（ｃ）参照）。
【００４６】
また、続いて、図１２（ｄ）に示すように、▲１▼〜▲４▼の（Ｎ＝）４個のうちの▲１▼および▲２▼の（Ｍ＝）２個を取出対象として取出移動エリアＭＡ２に臨ませるときには、▲４▼を退避させ、▲３▼とともに固定補給エリアＷＲで待機させることができるので、▲１▼および▲２▼の（Ｋ＝）２個（同図（ｄ）参照）、あるいは▲１▼または▲２▼の（Ｋ＝）１個（同図（ｅ）および（ｆ）参照）を取出対象として移動させているときに、▲３▼および▲４▼に対して電子部品の補給ができる。すなわち、いわゆる交互運転ができ、取出対象でない供給ユニットに対する電子部品の補給を柔軟に行うことができるので、設置スペースを増大させることなく、全体として電子部品の補給をさらに柔軟かつ迅速に行うことができ、稼働率をさらに向上できる。
【００４７】
なお、ここでは▲３▼を移動させているときの▲４▼の退避位置を後の交互運転に都合の良いＨ４としている（同図（ｂ）参照）が、他の位置（Ｐ４またはＨ３）とすることもできる。同様に、▲２▼を移動させているときの▲１▼の退避位置を後の交互運転に都合の良いＨ１としている（同図（ｅ）参照）が、他の位置（Ｐ１またはＨ２）とすることもできる。また、上記の例では、Ｎ＝４、Ｍ＝２としたが、Ｎが４以上の偶数の整数（Ｎ＝６、８、１０等）であれば、同様に適用できる。ただし、説明を簡単にするため、本実施形態においても、上述の退避位置やＮ＝４の例を用いている。
【００４８】
次に、上述した原理を踏まえた上で、本実施形態の電子部品供給装置３の説明に戻る。図２で前述のように、電子部品供給装置３では、各スライドベース（供給ユニット）１２には、それぞれに多数の電子部品を搭載したテープカセット１３が多数搭載され、各スライドベース１２は、図示の前後方向（図１４等では左右（横）方向）に長い機台１１（移動路）上にスライド（双方向移動）自在に搭載（配設）され、片側２つのスライドベース１２、１２が、装置本体２の位置に移動（スライド）して部品取出動作している間に、ホーム位置（ホームポジション）にある他方の２つのスライドベース１２、１２上では、次の作業に向けてテープカセット１３の交換作業（電子部品の補給作業）が行われる。
【００４９】
すなわち、本実施形態の電子部品供給装置３は、図１３および図１４に示すように、それぞれに複数の電子部品を搭載可能な（Ｎ＝）４個のスライドベース１２（供給ユニットＵ１〜Ｕ４）を備え、機台１１の長手方向（移動路の延在方向）に各スライドベース（供給ユニット）１２をスライド（移動）させることにより、任意の１個のスライドベース（供給ユニット）１２を、装置本体２の所定の取出位置に対応する機台１１上の中央の取出位置ＤＰに臨ませる。
【００５０】
ここで、機台１１上には、図１４に示すように、２個のスライドベース（供給ユニット）１２を取出動作のために移動させる取出移動エリアＭＡ２（取出移動ポジションＰ１〜Ｐ４の範囲のエリア）と、その両端にそれぞれ２個のスライドベース１２に対してテープカセット１３の交換作業（電子部品の補給作業）ができる固定補給エリア（ホームポジションＨ１〜Ｈ２の固定補給エリアＷＬ２およびホームポジションＨ３〜Ｈ４の固定補給エリアＷＲ２）が定められている。
【００５１】
また、固定補給エリアＷＬ２およびＷＲ２の上方には、図１３に示すように、（Ｎ＝）４個のスライドベース１２のそれぞれ（供給ユニットＵ１、Ｕ２、Ｕ３、Ｕ４のそれぞれ）のホームポジションＨ１、Ｈ２、Ｈ３、Ｈ４に対応して、それぞれ安全カバーＨＣ１、ＨＣ２、ＨＣ３、ＨＣ４が設けられ、各安全カバーＨＣ１、ＨＣ２、ＨＣ３、ＨＣ４に対応して、レディスイッチＨＳ１、ＨＳ２、ＨＳ３、ＨＳ４が設けられている。
【００５２】
例えば図１４（ａ）に示すように、（Ｎ＝）４個のうちの（Ｍ＝）２個のスライドベース１２（供給ユニットＵ３、Ｕ４）が部品取出のために取出移動エリアＭＡ２に臨んでいる間に、機台１１の一方の端（図示の左端）にある固定補給エリアＷＬ２では、（Ｎ−Ｍ＝）２個のスライドベース１２（供給ユニットＵ１、Ｕ２）に対して、テープカセット１３の交換作業（電子部品の補給作業）ができる。すなわち、レディスイッチＨＳ１を押し、完全カバーＨＣ１を開けることにより、スライドベース１２（供給ユニットＵ１）に対して、レディスイッチＨＳ２を押し、完全カバーＨＣ２を開けることにより、スライドベース１２（供給ユニットＵ２）に対して、テープカセット１３の交換による電子部品の補給ができる。
【００５３】
同様に、例えば同図（ｄ）に示すように、（Ｎ＝）４個のうちの（Ｍ＝）２個のスライドベース１２（供給ユニットＵ１、Ｕ２）が部品取出のために取出移動エリアＭＡ２に臨んでいる間に、機台１１の他方の端（図示の右端）にある固定補給エリアＷＲ２では、（Ｎ−Ｍ＝）２個のスライドベース１２（供給ユニットＵ３、Ｕ４）に対して、それぞれレディスイッチＨＳ３、ＨＳ４を押し、完全カバーＨＣ３、ＨＣ４を開けることにより、テープカセット１３の交換による電子部品の補給ができる。
【００５４】
また、機台１１上には、図１４に示すように、取出移動エリアＭＡ２内の取出移動エリアＭＡ２内の両端（取出移動ポジションＰ１、Ｐ４の範囲のエリア）に、それぞれ最大で（Ｍ−１＝）１個のスライドベース１２に対してテープカセット１３の交換による電子部品の補給ができる可変補給エリアが定められている。また、各可変補給エリアの上方には、図１３に示すように、左右の可変補給エリアのそれぞれ（取出移動ポジションＰ１およびＰ４のそれぞれ）に対応して、それぞれ安全カバーＰＣ１、ＰＣ４が設けられ、各安全カバーＰＣ１、ＰＣ４に対応して、レディスイッチＰＳ１、ＰＳ４が設けられている。
【００５５】
これにより、例えば図１４（ａ）において、取出移動エリアＭＡ２に臨ませている（Ｍ＝）２個のスライドベース１２（供給ユニットＵ３、Ｕ４）のうちの、右端側のスライドベース１２（供給ユニットＵ４）ばかりで無く（同図（ｂ）参照）、他方のスライドベース１２（供給ユニットＵ３）も必要に応じて退避可能であり、レディスイッチＰＳ１を押し、完全カバーＰＣ１を開けることにより、テープカセット１３の交換による電子部品の補給ができる（同図（ｃ）参照）。
【００５６】
続いて、例えば図１４（ｄ）に示すように、（Ｎ＝）４個のうちの（Ｍ＝）２個のスライドベース１２（供給ユニットＵ１、Ｕ２）を取出対象として取出移動エリアＭＡ２に臨ませるときには、２個のスライドベース１２（供給ユニットＵ３、Ｕ４）を固定補給エリアＷＲ２で待機させる。この場合においても、取出移動エリアＭＡ２に臨ませている（Ｍ＝）２個のスライドベース１２（供給ユニットＵ１、Ｕ２）のうちの、左端側のスライドベース１２（供給ユニットＵ１）ばかりで無く（同図（ｅ）参照）、他方のスライドベース１２（供給ユニットＵ２）も必要に応じて退避可能であり、レディスイッチＰＳ４を押し、完全カバーＰＣ４を開けることにより、テープカセット１３の交換による電子部品の補給ができる（同図（ｆ）参照）。
【００５７】
上述のように、本実施形態の高速マウンタ（電子部品装着装置）１に搭載された電子部品供給装置３では、いわゆる交互運転ができ、また、取出対象でないスライドベース（供給ユニット）１２に対するテープカセット１３の交換による電子部品の補給を柔軟に行うことができるので、設置スペースを増大させることなく、全体として電子部品の補給を柔軟かつ迅速に行うことができ、稼働率をさらに向上できる。また、高速マウンタ（電子部品装着装置）１では、電子部品供給装置３を備え、これにより、設置スペースを増大させることなく、電子部品の補給を迅速に行うことができるので、この結果、設置スペースを増大させることなく、全体として電子部品の装着を迅速に行うことが可能になり、電子部品装着装置としての稼働率を向上できる。
【００５８】
また、この場合、取出移動エリアＭＡ内で電子部品の取出のために移動しているＫ個の供給ユニットの部品補給エリア（ＳＬまたはＳＲ）への進入を防止するストッパをさらに備えることが好ましく、これにより、部品補給エリア内での電子部品の補給を安全に行うことができる。また、上述のように、本実施形態の電子部品供給装置では、電子部品の補給のときに開くための安全カバーをさらに備えているので、その安全カバーを閉じている間の部品補給作業の安全性を向上できる。また、本実施形態では、各安全カバーに対応して、それを開くためのレディスイッチを備えているが、各レディスイッチが、各安全カバーを開く前に電子部品の補給対象となる供給ユニットを移動させる動力を切り、その後に開くことを可能とするためのレディスイッチであることが好ましく、これにより、安全カバーを開いて電子部品の補給をするためにはレディススイッチにより動力が切られるので、部品補給作業の安全性をさらに向上できる。
【００５９】
なお、上述の実施形態では、取出位置ＤＰのみで電子部品が取り出せるタイプ、すなわち供給ユニットを移動させて取出位置ＤＰに臨ませて電子部品を取り出すタイプの例について説明したが、所定の取出エリア内の任意の位置から（供給ユニットを移動させないで）電子部品を取出可能なタイプの場合、取出エリアとしては最小でＭ個の供給ユニットを配置可能な取出配置エリアＤＡ（図６参照）があれば良い。すなわち、取出移動エリアＭＡでなく取出配置エリアＤＡのみの取出エリアがあれば、電子部品を取出可能である。この場合、取出エリア（ここでは取出配置エリア）の全てを可変補給エリアとしておくことにより、取出対象のＫ（最小で１）個を除くＭ−Ｋ（最大でＭ−１）個分を補給エリアとして割り当てて使用できる。
【００６０】
言い換えると、取出エリアが取出移動エリアＭＡのタイプであるか取出配置エリアＤＡのタイプであるかに拘わらず、電子部品を取り出すための取出エリアおよび電子部品を補給するための補給エリアを有して、Ｎ個（Ｎは２以上の整数）のうちの連続して配設された最大でＭ個（Ｍは２≦Ｍ≦Ｎとなる整数）の供給ユニットを電子部品の取出対象として取出エリアに臨ませ、取出エリアには、Ｎ個のうちの連続して配設されたＫ個（Ｋは１≦Ｋ＜Ｍとなる整数）の供給ユニットを取出対象としているときに、Ｍ−Ｋ個の供給ユニットの補給エリアとしてその一部を割当可能な可変補給エリアを設ける。これにより、Ｍ個のうちのＫ（最小で１）個を取出対象としている間にも、Ｍ−Ｋ（最大でＭ−１）個の供給ユニットに電子部品の補給が可能になる。また、取出エリアの一部を補給エリアとして割り当てるので、設置スペースを増大させる必要もない。したがって、設置スペースを増大させることなく、全体として電子部品の補給を迅速に行うことが可能になるので、稼働率を向上できる。
【００６１】
また、上述の実施形態について、別の見方をすると、図１４に示すように、上述の電子部品供給装置３では、２×Ｍ個（Ｍは２以上の整数：実施形態ではＭ＝２）の供給ユニットを備え、これらを補給エリアに臨ませて電子部品を補給し、取出位置ＤＰに臨ませて電子部品を取り出す。ここで、各補給エリアには、自己が担当するＭ個（２個）の供給ユニットに電子部品を補給するための固定補給エリア（ＷＬ２またはＷＲ２）と、他方の補給エリアが担当するＭ個のうちのＭ−Ｋ個（Ｋは１≦Ｋ≦Ｍ−１となる整数：実施形態ではＫ＝１）の供給ユニットに対して電子部品を補給可能な可変補給エリア（取出移動ポジションＰ１またはＰ４のエリア）とが設けられ、可変補給エリアは、取出位置ＤＰと固定補給エリア（ＷＬ２またはＷＲ２）との間に設けられている。
【００６２】
これにより、例えば右側（他方）の固定補給エリアＷＲ２（補給エリア）から取出位置ＤＰに臨ませた供給ユニットＵ３に対して左側の可変補給エリア（補給エリア）で電子部品を補給可能であり（同図（ｃ）参照）、左側（他方）の固定補給エリアＷＬ２（補給エリア）から取出位置ＤＰに臨ませた供給ユニットＵ２に対して右側の可変補給エリア（補給エリア）で電子部品を補給可能である（同図（ｆ）参照）。すなわち、他方の補給エリアから取出位置ＤＰにＭ個の供給ユニットを臨ませ、そのうちの他方端からＫ個の供給ユニットを電子部品の取出対象としている間にも、可変補給エリアを利用することにより、残りのＭ−Ｋ個（実施形態ではＭ−Ｋ＝２−１＝１個）に対して電子部品が補給可能なので、図１５で前述の例（一方のみで部品補給可能な例）より柔軟かつ迅速に電子部品の補給が可能となり、稼働率を向上できる。
【００６３】
なお、上述の実施形態では、電子部品を供給するための供給ユニットとして、電子部品を多数搭載したテープカセットを着脱自在に装着するスライドベースの例を挙げたが、テープカセット等を介すものばかりでなく、電子部品を取出可能に搭載するものであれば良く、例えば直接複数の電子部品を搭載するものでも良い。また、それを搭載する装置として高速マウンタ（電子部品装着装置）の例を挙げたが、電子部品を供給する必要がある装置であれば、他の装置にも適用できる。もちろん、本発明の要旨を逸脱しない範囲で適宜変更も可能である。
【００６４】
【発明の効果】
上述のように、本発明の電子部品装着装置では、設置スペースを増大させることなく、稼働率を向上できる、また、補給エリア及び前記可変補給エリアのそれぞれに対応して設けられた安全カバーを閉じている間の安全性を向上できる、更に、安全カバーのそれぞれに対応して、それを開く前に電子部品の補給対象となる供給ユニットを移動させる動力を切り、その後に開くことを可能とするためのレディスイッチが設けられているため、補給エリア又は前記可変補給エリアの安全カバーを開いて電子部品の補給をするためにはレディススイッチにより動力が切られるので、部品補給作業の安全性を向上できる、などの効果がある。
【図面の簡単な説明】
【図１】  本発明の一実施形態に係る電子部品供給装置を備えた高速マウンタの側面図である。
【図２】  実施形態に係る高速マウンタの安全カバー等を外した状態における電子部品供給装置周辺の外観斜視図である。
【図３】  取出移動エリアを説明するための原理図である。
【図４】  図３に続く、図３と同様の原理図である。
【図５】  図４に続く、図３と同様の原理図である。
【図６】  取出移動エリアを一般化して説明するための原理図である。
【図７】  可変補給エリアを説明するための原理図である。
【図８】  可変補給エリアの一部を部品補給エリアとして割り当てる例を説明するための原理図である。
【図９】  可変補給エリアを一般化して説明するための原理図である。
【図１０】  固定補給エリアの説明並びに固定補給エリアおよび可変補給エリアの一部を部品補給エリアとして割り当てる例の説明のための原理図である。
【図１１】  固定補給エリアおよび可変補給エリアを一般化して説明するための原理図である。
【図１２】  交互運転の場合の固定補給エリアおよび可変補給エリアの一部を部品補給エリアとして割り当てる例の説明のための原理図である。
【図１３】  安全カバー等も含む、図２と同様の外観斜視図である。
【図１４】  図１２に対応して、実施形態に係る電子部品供給装置の供給ユニットの動作概要を説明するための説明図である。
【図１５】  本発明の課題を説明するための、電子部品供給装置の供給ユニットの動作概要の説明図である。
【符号の説明】
１……高速マウンタ、３……電子部品供給装置、１１……機台、１２……スライドベース（供給ユニット）、１３……テープカセット、ＤＰ……取出位置、ＤＡ、ＤＡ１〜ＤＡ５……取出配置エリア（取出エリア）、ＭＡ、ＭＡ１〜ＭＡ５……取出移動エリア（取出エリア）、ＭＬ、ＭＲ……可変補給エリア、ＳＬ、ＳＲ……部品補給エリア（補給エリア）、Ｕ１〜Ｕ４……供給ユニット、ＷＬ、ＷＲ  ……  固定補給エリア
【図１】
0003836285.tif 000002
【図２】
0003836285.tif 000003
【図３】
0003836285.tif 000004
【図４】
0003836285.tif 000005
【図５】
0003836285.tif 000006
【図６】
0003836285.tif 000007
【図７】
0003836285.tif 000008
【図８】
0003836285.tif 000009
【図９】
0003836285.tif 000010
【図１０】
0003836285.tif 000011
【図１１】
0003836285.tif 000012
【図１２】
0003836285.tif 000013
【図１３】
0003836285.tif 000014
【図１４】
0003836285.tif 000015
【図１５】
0003836285.tif 000016